(57)【特許請求の範囲】
【請求項１】
内面に管部材側当接部を具備する管部材に固定されるとともに、前記内面に対して前記管部材内に突出する突出部と、ハウジング側当接部と、を具備するハウジングと、
前記ハウジングに設けられる回転軸と、
前記回転軸に支持されるパドルであって、前記突出部に当接する初期位置から離れる回転方向に前記管部材側当接部に対向する位置に設けられる第１のパドル側当接部と、前記回転方向に前記ハウジング側当接部に対向する位置に設けられる第２のパドル側当接部と、を具備するパドルと、
前記ハウジング内に収容され、前記パドルが初期位置にある状態を検出する検出部と、
を具備することを特徴とする流量センサ。
【請求項２】
前記第２のパドル側当接部は、前記パドルが前記初期位置から前記回転方向に所定角度回転すると前記ハウジング側当接部に当接し、
前記第１のパドル側当接部は、前記パドルが前記回転方向に前記初期位置から前記所定角度回転すると前記管部材側当接部に当接する
ことを特徴とする請求項１に記載の流量センサ。
【請求項３】
前記パドルは、前記パドルの下流側に流体を案内するガイド部を具備する
ことを特徴とする請求項１に記載の流量センサ。
【請求項４】
前記パドルは、前記パドルの下流側を流れる流体を整流する整流部を具備する
ことを特徴とする請求項１に記載の流量センサ。
【請求項５】
管部材の内面に設けられて前記管部材内に突出する管部材側当接部と、
前記管部材に固定されるとともに、前記内面に対して前記管部材内に突出する突出部と、ハウジング側当接部と、を具備するハウジングと、前記ハウジングに設けられる回転軸と、前記回転軸に支持されるパドルであって、前記突出部に当接する初期位置から離れる回転方向に前記管部材側当接部に対向する位置に設けられる第１のパドル側当接部と、前記回転方向に前記ハウジング側当接部に対向する位置に設けられる第２のパドル側当接部と、を具備するパドルと、前記ハウジング内に収容され、前記パドルが初期位置にある状態を検出する検出部と、を具備する流量センサと、
を具備することを特徴とする流量検出装置。
【請求項６】
前記管部材側当接部は、前記管部材の周壁部に螺合されて前記管部材内に突出するボルトである
ことを特徴とする請求項５に記載の流量検出装置。
【発明の詳細な説明】
【技術分野】
【０００１】
本発明は、停止流量を検出する流量センサと、この流量センサを備える流量検出装置とに関する。
【背景技術】
【０００２】
ビル等の建物には、蛇口まで給水する給水装置が設置されている。給水装置は、ポンプ装置と、ポンプ装置のポンプから吐出された水を蛇口まで導く流路を形成する管部材と、流路を流れる水の流量を検出する流量センサと、流路内の圧力を検出する圧力検出装置と、を有している。
【０００３】
ポンプの制御として、圧力検出装置の検出結果に基づいて流路内の圧力がポンプの起動圧力以下であると判定すると電動モータを起動し、流量センサの検出結果に基づいて流路内の流量がポンプの停止流量以下であると判定するとポンプの駆動を停止する制御が知られている。
【０００４】
流量センサとして、パドルを有するパドル式の流量センサが知られている。パドル式の流量センサは、管部材に設けられるセンサ本体と、流路内に配置されてセンサ本体に回転可能に支持されるパドルと、を有している。
【０００５】
センサ本体は、永久磁石の磁力によって作動するリードスイッチを有している。パドルは、永久磁石を有している。パドルに設けられる磁石の磁力は、パドルが回転していない初期位置にある状態においてセンサ本体の検出部の検出範囲にあり、パドルが初期位置に対して回転した状態において検出部の検出範囲から外れる。
【０００６】
パドルは、水の流れを受けて回転可能に形成されており、流路内の流量が停止流量より大きくなると、初期位置に対して回転し、流量が停止流量以下となると、初期位置に戻る。初期位置に対するパドルの最大回転角度は、流路内の流量が停止流量以下となると初期位置に戻るように、予め設定された所定角度に設定されている。パドルは、センサ本体に当接することによって、所定角度以上回転することが規制されている。
【先行技術文献】
【特許文献】
【０００７】
【特許文献１】特許第４０８３７３５号
【発明の概要】
【発明が解決しようとする課題】
【０００８】
上記のように、パドルをセンサ本体に対して当接させることによってパドルが所定角度以上回転することを規制する構造には、以下の問題点があった。すなわち、パドルがセンサ本体に当接している状態においてパドルがばたつくと、センサ本体とパドルとが摩耗する。
【０００９】
センサ本体とパドルとが摩耗することによって、パドルの最大回転角度が、パドルが初期位置まで戻らなくなる角度まで大きくなる。この為、流量センサを交換する必要がある。頻繁に流量センサを交換すると、コストが高くなる。
【００１０】
この為、本発明は、寿命の長い流量センサを提供することを目的とする。
【課題を解決するための手段】
【００１１】
本発明の流量センサは、ハウジングと、パドルと、検出部と、を備える。前記ハウジングは、管部材に固定され、少なくとも一部が前記管部材内に配置される。前記パドルは、前記管部材内に配置され、前記ハウジングにおいて前記管部材内に配置される部分に当接する初期位置から離れる第１の回転方向及び前記第１の回転方向に対して逆方向の第２の回転方向に回転可能に前記ハウジングに支持される。前記パドルは、前記第１の回転方向に前記ハウジングに対向する第１のパドル側当接部と、前記第１の回転方向に前記管部材側に対向する第２のパドル側当接部と、を備える。前記検出部は、前記ハウジング内に収容され、前記パドルが初期位置にある状態を検出する。前記パドルが前記初期位置から前記第１の回転方向に所定角度回転すると、前記第１のパドル側当接部の前記ハウジングへの当接と前記第２のパドル側当接部の前記管部材側への当接との少なくとも一方が生じる。
【００１２】
本発明の流量検出装置は、管部材と、流量センサとを備える。前記流量センサは、ハウジングと、パドルと、検出部と、を備える。
【００１３】
前記ハウジングは、前記管部材に固定されて少なくとも位置部前記管部材内に配置される。前記パドルは、前記管部材内において前記ハウジングの前記管部材内に配置される部分に当接する初期位置から離れる第１の回転方向及び前記第１の回転方向に対して逆方向の第２の回転方向に回転可能に前記ハウジングに支持され、前記第１の回転方向に前記ハウジングに対向する第１のパドル側当接部と、前記第１の回転方向に前記管部材側に対向する第２のパドル側当接部と、を備える。前記検出部は、前記ハウジング内に収容され、前記パドルが初期位置にある状態を検出する。前記パドルが前記初期位置から前記第１の回転方向に所定角度回転すると、前記第１のパドル側当接部の前記ハウジングへの当接と前記第２のパドル側当接部の前記管部材側への当接との少なくとも一方が生じる。
【発明の効果】
【００１４】
本発明は、寿命の長い給水装置を提供できる。
【図面の簡単な説明】
【００１５】
【図１】本発明の第１の実施形態に係る流量検出装置を示す正面図。
【図２】同流量検出装置を示す一部断面図。
【図３】同流量検出装置の流量センサのハウジングを示す正面図。
【図４】同ハウジングを示す側面図。
【図５】同流量センサのパドルを示す正面図。
【図６】同パドルを示す背面図。
【図７】同パドルを示す平面図。
【図８】本発明の第２の実施形態に係る流量検出装置を示す断面図。
【図９】同流量検出装置の流量センサのパドルを示す正面図。
【図１０】本発明の第３の実施形態に係る流量検出装置を示す断面図。
【図１１】同流量検出装置の流量センサのパドルを示す正面図。
【発明を実施するための形態】
【００１６】
本発明の第１の実施形態に係る流量検出装置１０を、図１〜７を用いて説明する。流量検出装置１０は、例えば給水装置の流路５の一部を構成しており、流路５を流れる水の停止流量を検出可能に構成されている。
【００１７】
図１は、流量検出装置１０を示す正面図である。図２は、流量検出装置１０を示す断面図である。図１，２に示すように、流量検出装置１０は、流路５の一部を構成する管部材２０と、管部材２０に固定される流量センサ４０と、を有している。
【００１８】
管部材２０は、筒状に形成される管部材本体２１と、管部材本体２１に一体に形成される固定部２２と、を有している。
【００１９】
管部材本体２１は、その軸線に直交する断面の一部を形成する円弧部２３と、残りの部分を形成する第１の突出部２４と、を有している。第１の突出部２４は、円弧部２３に対して突出している。第１の突出部２４の内面は、第１の平面２５を有している。
【００２０】
第１の平面２５は、第１の突出部２４の突出方向に直交する平面に形成されている。第１の突出部２４の外面は、第１の平面２５に平行な第２の平面２６を有している。
【００２１】
固定部２２は、図２に示すように、第２の平面２６に一体に形成されている。第１の突出部２４と一体に形成されている。固定部２２は、図１に示すように、管部材本体２１の軸線に直交する幅方向に、第１の突出部２４よりも突出している。固定部２２の主面２７は、第２の平面２６に平行な平面に形成されている。
【００２２】
管部材２０には、第１の貫通孔３１が形成されている。第１の貫通孔３１は、固定部２２の主面２７の中央に開口し、固定部２２と第１の突出部２４とを管部材２０の径方向に貫通している。
【００２３】
流量センサ４０は、第１の貫通孔３１内に挿入されて固定部２２の主面２７に固定されるセンサ本体４１と、センサ本体４１に回転可能に支持されるパドル６０と、を有している。
【００２４】
センサ本体４１は、ハウジング４２と、ハウジング４２内に収容される検出部５０と、信号線５１と、を有している。図３は、ハウジング４２を示す正面図である。図２，３に示すように、ハウジング４２は、一端に底壁部４３を有する筒状部４４と、筒状部４４の開口端に設けられて筒状部４４の軸線に直交する方向に延びるフランジ部４５と、筒状部４４の底壁部４３に設けられる第２の突出部４６と、筒状部４４の底壁部４３に設けられる第１の回転軸支持部４７と、筒状部４４の底壁部４３に設けられてパドル６０が当接可能に形成される第１の当接部４８と、を有している。
【００２５】
フランジ部４５には、固定部２２の主面２７との間を液密にシールするシール部材６が設けられている。
【００２６】
第２の突出部４６は、底壁部４３において筒状部４４の軸線から径方向にずれた位置に設けられており、底壁部４３から筒状部４４の軸線方向に突出している。第２の突出部４６の軸線に直交する断面の幅は、筒状部４４の軸線に直交する断面の幅よりも小さい。
【００２７】
第２の突出部４６は、内部に第１の収容空間Ｓ１が形成されている。第１の収容空間Ｓ１は、底壁部４３に形成される第２の貫通孔４９を通じて筒状部４４内に連通している。
【００２８】
図４は、ハウジング４２を示す側面図である。図３，４に示すように、第１の回転軸支持部４７は、第２の突出部４６の基部に隣接した位置に設けられている。第１の回転軸支持部４７は、第２の突出部４６の軸線方向に直交する方向に延びる円柱形状を有している。第１の回転軸支持部４７は、第２の突出部４６の軸方向に直交する方向に貫通する第３の貫通孔４７ａが形成されている。
【００２９】
第１の当接部４８は、第１の回転軸支持部４７において第２の突出部４６に対して反対側に設けられている。
【００３０】
第１の当接部４８は、第１の回転軸支持部４７に対して突出している。第１の当接部４８の筒状部４４の軸方向にの端面には、第１の当接面４８ａが形成されている。第１の当接面４８ａは、筒状部４４の軸方向に直交する平面に形成されている。
【００３１】
ハウジング４２は、図２に示すように、筒状部４４が第１の貫通孔３１の軸線と同軸となり、第３の貫通孔４７ａの軸線が管部材２０の軸線に対して直交する方向に平行となり、第１の回転軸支持部４７が第２の突出部４６に対して下流側に位置し、かつ、第１の当接面４８ａが管部材本体２１の第１の平面２５に面一となる姿勢で第１の貫通孔３１内に収容される。
【００３２】
第１の当接面４８ａが第１の平面２５に面一になるとは、第１の当接面４８ａが第１の平面２５に平行となり、かつ、第１の当接面４８ａと第１の平面２５とが、同一平面内に配置されることである。
【００３３】
フランジ部４５は、固定部２２の主面２７に、例えばボルトによって固定される。フランジ部４５が固定部２２の主面２７に固定された状態では、第２の突出部４６は、流路５内に突出する。
【００３４】
検出部５０は、筒状部４４内と第２の突出部４６の第１の収容空間Ｓ１内とに収容されている。検出部５０は、磁力によって作動するスイッチを有している。検出部５０は、スイッチがオン状態となると、信号を出力する。信号線５１は、検出部５０に接続されている。信号線５１は、検出部５０が出力した信号を外部へ送信する。信号線５１は、第１の貫通孔３１から外部に延びている。
【００３５】
図５は、パドル６０を示す正面図である。図６は、パドル６０を示す背面図である。図７は、パドル６０を示す平面図である。図５〜７に示すように、パドル６０は、長方形の板形状に形成されるパドル本体６１と、パドル本体６１の長手方向端部に設けられ、管部材２０の第１の平面２５に当接可能に形成される第２の当接部６３と、第２の当接部６３に設けられる一対の第２の回転軸支持部６４と、を有している。
【００３６】
パドル本体６１は、第１の部分６１ａと、第１の部分６１ａよりも薄い第２の部分６１ｂと、部分６１ａ，６１ｂ間に位置し、第１の部分６１ａ側から第２の部分６１ｂ側にかけて漸次厚みが薄くなる第３の部分６１ｃと、を有している。
【００３７】
パドル本体６１の背面６９において第１の部分６１ａに対応する部分の一部には、開口６５が形成されている。開口６５は、矩形に形成されており、パドル本体６１の長手方向に平行な一対の第１の縁６５ａと、パドル本体６１の短手方向に平行な一対の第２の縁６５ｂと、を有している。一方の第２の縁６５ｂには、第４の突出部６６が形成されている。第４の突出部６６は、背面６９に対して突出している。背面６９において第４の突出部６６以外の部分は、平面に形成されている。
【００３８】
第２の当接部６３は、第１の部分６１ａの端部に設けられており、その一部が第１の部分６１ａに対して、パドル本体６１の長手方向に突出している。第２の当接部６３は、側面形状が三角形状に形成されており、第１の部分６１ａの主面から突出している。
【００３９】
第２の当接部６３は、管部材２０の第１の平面２５とハウジング４２の第１の当接部４８の第１の当接面４８ａとに面接触可能な平面に形成される第２の当接面６３ａを有している。第２の当接面６３ａは、後で具体的に説明する。
【００４０】
第２の当接部６３と第１の部分６１ａとの内部には、第２の収容空間Ｓ２が形成されている。第２の収容空間Ｓ２は、第２の当接部６３の端面に形成される開口６７を通じて外部に連通している。また、第２の収容空間Ｓ２は、背面６９に形成される開口６５を通して外部に連通している。第２の収容空間Ｓ２には、永久磁石６８が収容されている。
【００４１】
一対の第２の回転軸支持部６４は、第２の当接部６３の一端に形成されている。一対の第２の回転軸支持部６４は、間に第１の回転軸支持部４７を配置可能な隙間Ｓ３を有して配置されている。第２の回転軸支持部６４には、互いに同軸となる貫通孔７０が形成されている。
【００４２】
図２に示すように、背面６９がセンサ本体４１のハウジング４２の第２の突出部４６側に向き、かつ、一対の第２の回転軸支持部６４間に第１の回転軸支持部４７を収容した状態で、貫通孔４９，７０内に回転軸７１が挿入される。パドル６０は、回転軸７１が回転軸支持部４７，６４の貫通孔４９，７０内に挿入されて支持されることによって、センサ本体４１に回転軸７１回りに回転可能に支持される。
【００４３】
パドル６０は、流路５内を流れる水を受けて、回転軸７１回りに回転する。具体的には、パドル６０は、流路５内を流れる水の流量が停止流量以下となる状態では、背面６９に形成される第４の突出部６６がハウジング４２の第２の突出部４６に当接する初期位置Ｐ１にある。
【００４４】
パドル６０は、流路５内を流れる水の流量が停止流量より大きくなると、初期位置Ｐ１から第１の回転方向Ｒ１に回転する。また、流量が停止流量より大きい状態から停止流量以下となると、第２の回転方向Ｒ２に回転して初期位置Ｐ１に戻る。
【００４５】
永久磁石６８の磁力は、パドル６０が初期位置Ｐ１にあるときに検出部５０のスイッチの検出範囲にあり、パドル６０が初期位置Ｐ１から第１の回転方向Ｒ１に回転すると、スイッチの検出範囲から外れる大きさを有している。
【００４６】
ここで、第２の当接面６３ａについて説明する。パドル６０の第２の当接面６３ａは、管部材２０の第１の平面２５とハウジング４２の第１の当接部４８の第１の当接面４８ａに第１の回転方向Ｒ１に対向する。そして、第２の当接面６３ａと第１の平面２５及び第１の当接面４８ａとは、パドル６０が初期位置Ｐ１から第１の回転方向Ｒ１に所定角度α回転したときに、第２の当接面６３ａが第１の平面２５と第１の当接面４８ａとに面接触するように形成されている。
【００４７】
この為、パドル６０が初期位置Ｐ１から第１の回転方向Ｒ１に所定角度α回転すると、第２の当接面６３ａは、第１の平面２５及び第１の当接面４８ａに面接触する。
【００４８】
所定角度αは、所定角度αまで回転した状態のパドル６０と管部材２０の内面との間を流れる水の流れによって、流路５を流れる水の流量が停止流量以下となった場合にパドル６０が初期位置Ｐ１に戻ることができる角度である。
【００４９】
次に、流量検出装置１０の動作を説明する。図２中、初期位置Ｐ１にあるパドル６０を２点鎖線で示している。パドル６０は、流路５内の水の流量が停止流量より大きくなると、初期位置Ｐ１から第１の回転方向Ｒ１に回転する。パドル６０が初期位置Ｐ１から回転することによって、検出部５０のスイッチはオフ状態となる。この為、検出部５０は、信号の出力を停止する。
【００５０】
流路５内の流量が大きくなると、パドル６０は、第２の当接面６３ａが管部材２０の第１の平面２５とセンサ本体４１のハウジング４２の第１の当接部４８の第１の当接面４８ａとに面接触するまで回転する。
【００５１】
パドル６０は、流路５内の流量が停止流量以下となると、第２の回転方向Ｒ２に回転して初期位置Ｐ１に戻る。パドル６０が初期位置Ｐ１に戻ると、パドル６０の永久磁石６８によって、センサ本体４１の検出部５０のスイッチがオン状態となる。検出部５０は、スイッチがオン状態となると、信号を出力する。
【００５２】
このように構成される流量検出装置１０では、パドル６０は、初期位置Ｐ１に対して所定角度α回転すると、パドル６０の第２の当接面６３ａが管部材２０の第１の平面２５とセンサ本体４１の第１の当接面４８ａとに面接触する。
【００５３】
この為、パドル６０の回転を規制する力は、第２の当接面６３ａと管部材２０の第１の平面２５との間と、第２の当接面６３ａとセンサ本体４１の第１の当接面４８ａとの間とに分散される。パドル６０が水から受ける力が第２の当接面６３ａと第１の平面２５との間と、第２の当接面６３ａと第１の当接面４８ａとの間とに分散されることによって、第２の当接面６３ａと第１の平面２５との間と、第２の当接面６３ａと第１の当接面４８ａとの間とに生じる、互いを押し付け合う力を小さくすることができる。
【００５４】
さらに、パドル６０が複数個所に当接することによって、所定角度αまで回転した状態のパドル６０がばたつくことを防止できる。
【００５５】
このように、第２の当接面６３ａと第１の平面２５との間と、第２の当接面６３ａと第１の当接面４８ａとの間とに生じる互いを押し付け合う力を小さくすることができ、かつ、パドル６０のがたつきを防止できるので、当接面４８ａ，６３ａと第１の平面２５とが磨耗することを防止できる。摩耗を防止できるので、流量検出装置１０の寿命を長くすることができる。
【００５６】
また、パドル６０は、所定角度α回転したときにセンサ本体４１と管部材２０とに当接することによって、回転軸７１の径方向に互いに離れた２箇所が支持される。具体的には、パドル６０は、第２の当接面６３ａが第１の平面２５に当接し、かつ、第２の当接面６３ａが第１の当接面４８ａに当接することによって支持される。
【００５７】
このように、パドル６０は、所定角度α回転したときに、回転軸７１の径方向に離れた少なくとも２箇所で支持されることによって、姿勢が安定するので、ばたつくことをより一層防止できる。
【００５８】
次に、本発明の第２の実施形態に係る流量検出装置１０Ａを、図８，９を用いて説明する。なお、第１の実施形態と同様の機能を有する構成は、第１の実施形態と同一の符号を付して説明を省略する。
【００５９】
図８は、流量検出装置１０Ａを示す断面図である。図８に示すように、流量検出装置１０Ａは、管部材２０Ａと、流量センサ４０Ａと、を有している。
【００６０】
管部材２０Ａは、筒状に形成される管部材本体２１と、管部材本体２１に一体に形成される固定部２２Ａと、を有している。
【００６１】
固定部２２Ａは、第１の突出部２４と一体に形成されている。固定部２２Ａは、管部材２０の軸線に直交する幅方向に、第１の突出部２４よりも突出している。固定部２２Ａの主面は、第２の平面２６に平行な平面に形成されている。
【００６２】
固定部２２Ａにおいて第１の貫通孔３１の下流側には、ねじ孔８０が形成されている。ねじ孔８０は、固定部２２Ａと第１の突出部２４とを貫通している。ねじ孔８０には、ボルト８１が螺合している。ボルト８１とねじ孔８０の縁との間には、平座金８２が介装されている。平座金８２は、ねじ孔８０とボルト８１との間を液密にシール可能に形成されている。
【００６３】
流量センサ４０Ａは、センサ本体４１Ａと、パドル６０Ａと、を有している。なお、図８中では、初期位置Ｐ１にあるパドル６０Ａを２点鎖線で示している。図８に示すように、センサ本体４１Ａは、ハウジング４２Ａと、ハウジング４２内に収容される検出部５０と、信号線５１と、を有している。
【００６４】
ハウジング４２Ａは、筒状部４４と、フランジ部４５と、第２の突出部４６と、第１の回転軸支持部４７と、筒状部４４の底壁部４３に設けられてパドル６０Ａが当接可能に形成される第１の当接部４８Ａと、を有している。
【００６５】
第１の当接部４８Ａは、第１の回転軸支持部４７において第２の突出部４６に対して反対側に設けられている。第１の当接部４８Ａは、第１の回転軸支持部４７に対して突出している。第１の当接部４８Ａの筒状部４４の端面には、第１の当接面４８ｂが形成されている。第１の当接面４８ｂは、筒状部４４の軸方向に直交する平面に形成されている。
【００６６】
ハウジング４２Ａは、筒状部４４が第１の貫通孔３１の軸線と同軸となり、第３の貫通孔４７ａの軸線が管部材２０の軸線に対して直交する方向に平行となり、第１の回転軸支持部４７が第２の突出部４６に対して下流側に位置し、かつ、第１の当接面４８ｂが管部材本体２１の第１の平面２５に平行となる姿勢で第１の貫通孔３１内に収容される。また、第１の当接面４８ｂは、第１の平面２５に対して、管部材２０Ａの中心側の位置している。言い換えると、第１の当接部４８Ａは、第１の平面２５に対して突出している。
【００６７】
図９は、パドル６０Ａを示す正面図である。図９に示すように、パドル６０Ａは、パドル本体６１と、パドル本体６１の長手方向端部に設けられ、センサ本体４１のハウジング４２の第１の当接面４８ａに当接可能に形成される第３の当接部９０と、パドル本体６１の端部において第３の当接部９０の両側に１つずつ設けられる第２の回転軸支持部６４と、第４の当接部９１と、を有している。
【００６８】
第３の当接部９０は、側面形状が台形状に形成されており、第１の部分６１ａの主面に対して直交する方向に突出している。第３の当接部９０の突出端面は、第１の回転方向Ｒ１にハウジング４２の第１の当接部４８Ａの第１の当接面４８ｂに対向する平面である第４の当接面９３を形成している。第４の当接面９３は、パドル６０Ａが所定角度α回転すると、第１の当接面４８ｂに面接触可能な平面に形成されている。この為、パドル６０Ａが所定角度α回転すると、第４の当接面９３は、第１の当接面４８ｂに面接触する。
【００６９】
第４の当接部９１は、パドル本体６１においてパドル６０Ａの第１の回転方向Ｒ１にボルト８１の端面８３に対向する部分に形成されている。本実施形態では、一例として、第４の当接部９１は、部分６１ａ，６１ｃの境界部分に設けられている。第４の当接部９１は、先端に向かうにつれて縮径する円錐状に形成されている。
【００７０】
第４の当接部９１は、回転方向にボルト８１の端面８３に対向する第５の当接面９４を有している。第５の当接面９４は、パドル６０Ａが所定角度α回転すると、ボルト８１の端面８３に面接触可能な平面に形成されている。
【００７１】
本実施形態では、第１の実施形態と同様の効果が得られる。さらに、本実施形態では、所定角度αまで回転したパドル６０Ａのばたつきをより一層防止可能な構成とすることができる。この点について、具体的に説明する。
【００７２】
パドル６０Ａにおいて回転軸７１の径方向から遠い部分がいずれかの部分に当接することによって、初期位置Ｐ１に対して所定角度α回転した状態のパドル６０Ａのばたつきを防止することができる。回転軸７１の径方向に遠い部分が当接することによって、パドル６０Ａの姿勢が安定する為である。本実施形態では、パドル６０Ａにおいて管部材２０側に当接する部分を、回転軸７１の径方向に遠い部分に設けることができる。
【００７３】
より具体的に説明する。管部材２０に当接する当接部を回転軸７１の径方向に回転軸７１から遠い位置に設ける場合、この当接部のパドル本体６１からの突出量を大きくしなければならない。
【００７４】
しかしながら、パドル６０Ａは管部材２０の第１の貫通孔３１を通して流路５内に設置される為、パドル本体６１に対する当接部の突出量は、パドル６０Ａが第１の貫通孔３１を通ることができる大きさに形成される。この為、管部材２０に当接する当接部の位置は、制限される。
【００７５】
これに対して本実施形態では、管部材２０にボルト８１が形成されており、管部材２０側と当接する第４の当接部９１の第５の当接面９４が、パドル６０Ａが初期位置Ｐ１に対して所定角度α回転すると、ボルト８１の端面８３に面接触する。この為、第４の当接部９１を回転軸７１に対して径方向に遠い部分に設けても、パドル本体６１に対する第４の当接部９１の突出量を大きくする必要がないので、第４の当接部９１を回転軸７１に対して回転軸７１の径方向に遠い位置に設けることができる。
【００７６】
このように、本実施形態では、第４の当接部９１の配置を任意に選択できる為、第４の当接部９１を回転軸７１に対して径方向に遠い位置に設けることができる。このことによって、所定角度αまで回転したパドル６０Ａのがたつきばたつきをより一層防止することができる。
【００７７】
また、管部材側当接部としてボルト８１を用いることによって、簡単に管部材側当接部を形成することができる。さらに、ボルト８１を回転することによって、ボルト８１の端面８３の位置を調整することができる。
【００７８】
なお、本実施形態では、平座金８２によって、ねじ孔８０を通しての水漏れが防止されている。他の例としては、固定部２２Ａにおいてボルト８１のヘッド部を収容する収容孔を液密にシールする蓋部材が用いられてもよい。この蓋部材を用いることによって、万が一、ねじ孔８０を通して水漏れが発生しても、漏れた水は、ボルト８１のヘッド部を収容する収容孔内から外部へ漏れ出ることが防止される。
【００７９】
次に、本発明の第３の実施形態に係る流量検出装置１０Ｂを、図１０，１１を用いて説明する。なお、第１の実施形態と同様の機能を有する構成は、第１の実施形態と同一の符号を付して説明を省略する。
【００８０】
図１０は、流量検出装置１０Ｂを示す断面図である。図１０に示すように、流量検出装置１０Ｂは、管部材２０と、流量センサ４０Ｂと、を有している。流量センサ４０Ｂは、センサ本体４１と、パドル６０Ｂと、を有している。図１０中、初期位置Ｐ１にあるパドル６０Ｂを２点鎖線で示している。
【００８１】
図１１は、パドル６０Ｂを示す正面図である。図１１に示すように、パドル６０Ｂは、長方形状の板状のパドル本体６１Ｂと、パドル本体６１Ｂの端部に設けられ、管部材２０の第１の平面２５に当接可能に形成される第５の当接部１００と、第５の当接部１００に設けられる一対の第２の回転軸支持部６４と、パドル本体６１Ｂにおいて第５の当接部１００の両側に設けられる一対のガイド部１０１と、パドル本体６１Ｂに設けられる整流部１０２と、を有している。
【００８２】
パドル本体６１Ｂは、第１の部分６１ａと、第２の部分６１ｂと、第３の部分６１ｃと、を有している。パドル本体６１Ｂの背面６９Ｂには、開口６５が形成されている。開口６５は、矩形に形成されており、パドル本体６１Ａの長手方向に平行な一対の第１の縁６５ａと、パドル本体６１Ａの短手方向に平行な一対の第２の縁６５ｂと、を有している。一方の第２の縁１０４には、第４の突出部６６が形成されている。第４の突出部６６は、背面６９Ｂに対して突出している。
【００８３】
第５の当接部１００は、第１の部分６１ａに設けられている。第５の当接部１００の側面形状は、三角形状に形成されている。
【００８４】
第５の当接部１００は、第１の回転方向Ｒ１に管部材２０の第１の平面２５と第１の当接面４８ａとに対向する第６の当接面１０５を有している。
【００８５】
第６の当接面１０５は、パドル６０Ｂが初期位置Ｐ１から第１の回転方向Ｒ１に所定角度回転すると管部材２０の第１の平面２５とセンサ本体４１のハウジング４２の第１の当接面４８ａとに面接触可能な平面に形成される。
【００８６】
この為、パドル６０Ｂが初期位置Ｐ１から第１の回転方向Ｒ１に所定角度α回転すると、第６の当接面１０５は、第１の平面２５と第１の当接面４８ａとに面接触する。
【００８７】
パドル本体６１Ｂの第１の部分６１ａには、には、第２の収容空間Ｓ２が形成されている。第２の収容空間Ｓ２内には、永久磁石６８が収容されている。
【００８８】
ガイド部１０１は、パドル６０Ｂが初期位置Ｐ１に対して所定角度α回転したときに、パドル６０Ｂと管部材２０の第１の平面２５との間に水をスムーズに導くことが可能に形成されている。
【００８９】
具体的には、ガイド部１０１は、パドル本体６１Ｂの長手方向に延びる縦壁状に形成されている。ガイド部１０１において回転軸７１側の部分には、ガイド面１０１ａが形成されている。ガイド面１０１ａは、パドル６０Ｂが初期位置Ｐ１に対して所定角度α回転した時に管部材２０の軸線と平行になる平面に形成されている。
【００９０】
パドル６０Ｂが所定角度回転すると、ガイド面１０１ａが流路の軸線と平行となる。この為、水は、ガイド面１０１ａによってパドル６０Ｂの下流側にスムーズにガイドされる。
【００９１】
水がスムーズにパドル６０Ｂの下流側に流れることによって、水の流れがパドル６０Ｂの回転の抵抗となることを防止できる。この為、流路５内を流れる水の流量が停止流量以下となったときに、パドル６０Ｂは、スムーズに初期位置Ｐ１に戻ることができる。
【００９２】
整流部１０２は、パドル６０が所定角度α回転した状態において、ガイド面１０１ａよりも下流側となる位置に設けられている。整流部１０２は、水の流れを整流することが可能に形成されている。
【００９３】
本実施形態では、一例として、整流部１０２は、ガイド部１０１に対してパドル本体６１Ｂの短手方向内側に設けられており、パドル本体６１Ｂの長手方向に延びる縦壁形状に形成されている。整流部１０２によって、パドル６０Ｂの下流に流れる水を整流することができる。パドル６０Ｂの下流側の水の流れを整流することができることによって、パドル６０Ｂがばたつくことを防止できる。
【００９４】
なお、本実施形態のガイド部１０１の形状と整流部１０２の形状とは、一例である。ガイド部１０１の形状と整流部１０２の形状とは、任意に決定することができる。
【００９５】
また、本発明は、第１〜３の実施形態に限定されるものではない。第１〜３の実施形態では、所定角度αは、一定の値が用いられた。他の例としては、所定角度αは、ある程度の幅を有していてもよい。言い換えると、所定角度αは、α１以上であって、α２以下であってもよい。α１とα２とは、流量が停止流量以下となると、パドルが初期位置に戻る範囲である。つまり、パドルが戻る範囲であれば、流量検出装置は、摩耗が進行することによって、最大回転角度がα２となるまで、使用することができる。回転角度α２は、実験等によって求めることができる。
【００９６】
このように、所定角度αが幅を有する場合、第３の実施形態のガイド部１０１のガイド面１０１ａは、管部材２０の軸線に略平行になるが、そのガイド機能が大きく損なわれることはない。
【００９７】
他の例としては、パドルが所定角度α１回転すると、パドルと管部材との当接と、パドルとセンサ本体との当接とのうち、一方の当接が先に行われるようにしてもよい。このように、パドルとセンサ本体との当接と、パドルと管部材との当接との内一方が先に行われると、この一方の磨耗のみが進む。そして、この一方の磨耗が進むと、他方の当接も行われるようになる。
【００９８】
このように、所定角度が幅を有して設定される場合では、パドルと管部材との当接と、パドルとセンサ本体との当接との一方が先に行われるようにしてもよい。
【００９９】
また、第１〜３の実施形態では、管側当接部と、管側当接部に当接する第１のパドル側当接部は、互いに面接触する平面に形成されている。他の例としては、管側当接部と第１のパドル側当接部とは、互いに面接触する曲面に形成されてもよい。同様に、ハウジング側当接部と、ハウジング側当接部に当接する第２のパドル側当接部とは、互いに面接触する平面に形成されている。他の例としては、ハウジング側当接部と第２のパドル側当接部とは、互いに面接触する曲面に形成されてもよい。
【０１００】
この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
以下に、本願出願の当初の特許請求の範囲に記載された発明を付記する。
［１］
内面に管部材側当接部を具備する管部材に固定されるとともに、前記内面に対して前記管部材内に突出する突出部と、ハウジング側当接部と、を具備するハウジングと、
前記ハウジングに設けられる回転軸と、
前記回転軸に支持されるパドルであって、前記突出部に当接する初期位置から離れる回転方向に前記管部材側当接部に対向する位置に設けられる第１のパドル側当接部と、前記回転方向に前記ハウジング側当接部に対向する位置に設けられる第２のパドル側当接部と、を具備するパドルと、
前記ハウジング内に収容され、前記パドルが初期位置にある状態を検出する検出部と、
を具備することを特徴とする流量センサ。
［２］
前記第１のパドル側当接部は、前記パドルが前記初期位置から前記回転方向に所定角度回転すると前記ハウジング側当接部に当接し、
前記第２のパドル側当接部は、前記パドルが前記回転方向に前記初期位置から前記所定角度回転すると前記管部材側当接部に当接する
ことを特徴とする［１］に記載の流量センサ。
［３］
前記パドルは、前記パドルの下流側に流体を案内するガイド部を具備する
ことを特徴とする［１］に記載の流量センサ。
［４］
前記パドルは、前記パドルの下流側を流れる流体を整流する整流部を具備する
ことを特徴とする［１］に記載の流量センサ。
［５］
管部材の内面に設けられて前記管部材内に突出する管部材側当接部と、
前記管部材に固定されるとともに、前記内面に対して前記管部材内に突出する突出部と、ハウジング側当接部と、を具備するハウジングと、前記ハウジングに設けられる回転軸と、前記回転軸に支持されるパドルであって、前記突出部に当接する初期位置から離れる回転方向に前記管部材側当接部に対向する位置に設けられる第１のパドル側当接部と、前記回転方向に前記ハウジング側当接部に対向する位置に設けられる第２のパドル側当接部と、を具備するパドルと、前記ハウジング内に収容され、前記パドルが初期位置にある状態を検出する検出部と、を具備する流量センサと、
を具備することを特徴とする流量検出装置。
［６］
前記管部材側当接部は、前記管部材の周壁部に螺合されて前記管部材内に突出するボルトである
ことを特徴とする［５］に記載の流量検出装置。
【符号の説明】
【０１０１】
１０…流量検出装置、１０Ａ…流量検出装置、１０Ｂ…流量検出装置、２０…管部材、２０Ａ…管部材、４０…流量センサ、４０Ａ…流量センサ、４０Ｂ…流量センサ、４２…ハウジング、４２Ａ…ハウジング、５０…検出部、６０…パドル、６０Ａ…パドル、６０Ａ…パドル、６０Ｂ…パドル、６３ａ…第２の当接面（第２のパドル側当接部，第３のパドル側当接部）、８１…ボルト（管部材側突出部）、９３…第４の当接面（第１のパドル側当接部）、９４…第５の当接面（第２のパドル側当接部）、１０５…第６の当接面（第１のパドル側当接部、第２のパドル側当接部）。
【図１】
0006464001.tif 000002
【図２】
0006464001.tif 000003
【図３】
0006464001.tif 000004
【図４】
0006464001.tif 000005
【図５】
0006464001.tif 000006
【図６】
0006464001.tif 000007
【図７】
0006464001.tif 000008
【図８】
0006464001.tif 000009
【図９】
0006464001.tif 000010
【図１０】
0006464001.tif 000011
【図１１】
0006464001.tif 000012